(57)【要約】【課題】立体駐車装置の用途の幅を広げる。【解決手段】立体駐車装置格納台車１０は、立体駐車装置３０が備えるパレット３２に対し車両に代えて格納されるものであり、荷物が載置されるベース部、立体駐車装置格納台車１０のパレット３２上での移動に用いられる車輪、及び、少なくとも入出庫位置３６を除いた位置にあるパレット３２上での、立体駐車装置格納台車１０の移動を防止する移動防止手段を備えている。このため、ベース部に荷物が載置された状態でパレット３２に格納されることで、立体駐車装置３０を荷物の保管場所へと転用させることができる。このように、荷物の保管場所への転用に適した構成を備えることで、通常の立体倉庫と比較して、保管する荷物の容量が大きく、使い勝手も良い保管場所へと転用させ、立体駐車装置３０の用途の幅を広げることが可能となる。【選択図】図１
2019065461.tif 000002
【特許請求の範囲】
【請求項１】
複数のパレットを備え、それらのパレットが上下方向又は左右方向の少なくとも一方に移動することで、入出庫に係るパレットが所定の入出庫位置へと呼び出される立体駐車装置において、前記パレットに対し車両に代えて格納され、必要に応じて前記入出庫位置にて前記パレットから引き出される台車であって、
荷物が載置されるベース部と、前記パレットからの引き出し方向を基準として、前方側及び後方側に各々設けられ、前記パレット上を移動する際に用いられる車輪と、少なくとも前記入出庫位置以外に位置する前記パレット上の移動を防止するための移動防止手段と、を含むことを特徴とする立体駐車装置格納台車。
【請求項２】
前記移動防止手段は、前記前方側の車輪の後方近傍において下方に延びる脚部であり、
前記後方側の車輪及び前記脚部が前記パレット内に位置し、前記前方側の車輪が前記パレットから前方側にはみ出る態様で、前記パレットに格納され、前記パレットが前記入出庫位置にあるとき、前記前方側の車輪が前記入出庫位置に広がる入出庫平面に接触すると共に、前記脚部が前記パレットの上面に接触せずに前記後方側の車輪が前記パレットの上面に接触した状態になり、前記パレットが前記入出庫位置以外の位置にあるとき、前記前方側の車輪が前記入出庫平面に接触せずに、前記後方側の車輪と前記脚部とが前記パレットの上面に接触する状態になることを特徴とする請求項１記載の立体駐車装置格納台車。
【請求項３】
前記立体駐車装置は、前記入出庫平面が地上面であり、前記入出庫位置にあるパレットが、前記入出庫平面に対して高くなる態様で段差を有し、
前記ベース部の底面と直交する高さ方向に係る、前記前方側及び後方側の車輪と前記脚部との位置について、前記前方側の車輪の先端位置は、前記後方側の車輪の先端位置から、前記入出庫位置にある前記パレットの上面と前記入出庫平面との間の段差の高さ分下方にある位置と等しく、前記脚部の先端位置は、前記後方側の車輪の先端位置よりも上方に位置することを特徴とする請求項２記載の立体駐車装置格納台車。
【請求項４】
複数のパレットを備える立体駐車装置の運用方法であって、少なくとも１つのパレットに、請求項１から３のいずれか１項記載の立体駐車装置格納台車を格納することを特徴とする立体駐車装置の運用方法。
【請求項５】
前記立体駐車装置格納台車を格納するパレットに、少なくとも前記後方側の車輪の移動をガイドするための案内手段を設けることを特徴とする請求項４記載の立体駐車装置の運用方法。
【請求項６】
前記立体駐車装置格納台車を格納するパレット毎に、２台の前記立体駐車装置格納台車を、引き出し方向を反対向きに直列に格納することを特徴とする請求項４又は５記載の立体駐車装置の運用方法。
【発明の詳細な説明】
【技術分野】
【０００１】
本発明は、立体駐車装置のパレットに格納する立体駐車装置格納台車、及び、これを利用した立体駐車装置の運用方法に関するものである。
【背景技術】
【０００２】
車両を格納する複数のパレットを備える立体駐車装置は、限られたスペースに多くの車両を駐車するために利用され、その発明も多岐にわたっている（例えば、特許文献１、２参照）。
【先行技術文献】
【特許文献】
【０００３】
【特許文献１】特開２０１７−０８９３３１号公報
【特許文献２】特開２０１６−１０２３４３号公報
【発明の概要】
【発明が解決しようとする課題】
【０００４】
ところで、上述したような立体駐車装置は、その全体を、他の用途に転用する動向が見られている。
本発明は上記課題に鑑みてなされたものであり、その目的とするところは、立体駐車装置の用途の幅を広げることにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではない。そのため、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）複数のパレットを備え、それらのパレットが上下方向又は左右方向の少なくとも一方に移動することで、入出庫に係るパレットが所定の入出庫位置へと呼び出される立体駐車装置において、前記パレットに対し車両に代えて格納され、必要に応じて前記入出庫位置にて前記パレットから引き出される台車であって、荷物が載置されるベース部と、前記パレットからの引き出し方向を基準として、前方側及び後方側に各々設けられ、前記パレット上を移動する際に用いられる車輪と、少なくとも前記入出庫位置以外に位置する前記パレット上の移動を防止するための移動防止手段と、を含む立体駐車装置格納台車（請求項１）。
【０００７】
本項に記載の立体駐車装置格納台車は、立体駐車装置が備えるパレットに対し車両に代えて格納され、格納しているパレットが入出庫位置にある状態で、パレットから引き出されて使用されるものである。具体的には、ベース部、車輪、移動防止手段を備え、ベース部には任意の荷物が載置される。車輪は、本立体駐車装置格納台車がパレット上を移動する際に用いられるものであり、パレットから引き出す方向を前方、それと反対方向を後方として、本立体駐車装置格納台車の前方側及び後方側の夫々に設けられている。又、移動防止手段は、本立体駐車装置格納台車を格納するパレットが、少なくとも、立体駐車装置の入出庫位置を除いた位置にあるときに、そのパレット上での本立体駐車装置格納台車の移動を防止するものである。このような移動防止手段は、例えば、パレット上で本立体駐車装置格納台車を固定するものであってもよく、車輪の回転を防止するようなものであってもよい。
【０００８】
上記のような構成により、本項に記載の立体駐車装置格納台車は、ベース部に荷物が載置された状態で、立体駐車装置のパレットに格納されることで、立体駐車装置を荷物の保管場所へと転用させるものである。しかも、車輪を介してパレットから引き出されるようになっているため、ベース部への荷物の出し入れが容易に行われるものである。更に、少なくとも入出庫位置以外に位置するパレット上での移動が、移動防止手段により防止されるため、安全面への配慮も為されたものになっている。このように、荷物の保管場所への転用に適した構成を備えることで、通常の立体倉庫と比較して、保管する荷物の容量が大きく、使い勝手も良い保管場所へと転用させ、立体駐車装置の用途の幅を広げるものとなる。
【０００９】
（２）上記（１）項において、前記移動防止手段は、前記前方側の車輪の後方近傍において下方に延びる脚部であり、前記後方側の車輪及び前記脚部が前記パレット内に位置し、前記前方側の車輪が前記パレットから前方側にはみ出る態様で、前記パレットに格納され、前記パレットが前記入出庫位置にあるとき、前記前方側の車輪が前記入出庫位置に広がる入出庫平面に接触すると共に、前記脚部が前記パレットの上面に接触せずに前記後方側の車輪が前記パレットの上面に接触した状態になり、前記パレットが前記入出庫位置以外の位置にあるとき、前記前方側の車輪が前記入出庫平面に接触せずに、前記後方側の車輪と前記脚部とが前記パレットの上面に接触する状態になる立体駐車装置格納台車（請求項２）。
【００１０】
本項に記載の立体駐車装置格納台車は、移動防止手段が、前方側の車輪の後方近傍、すなわち、前方側の車輪の直ぐ後方の位置において、下方に延びる脚部により構成されている。又、本立体駐車装置格納台車は、後方側の車輪と脚部とがパレット内に位置し、前方側の車輪がパレットから前方側にはみ出る態様で、パレットに格納される。すなわち、パレットを側方から視ると、本立体駐車装置格納台車の、前方側の車輪を含む前方側の部位が、パレットの前端よりも前方へ突き出た状態になる。そして、パレットが入出庫位置にあるとき、パレットからはみ出た前方側の車輪が、入出庫位置に広がる入出庫平面に接触し、パレット内に位置する脚部が、パレットの上面に接触せずに、同じくパレット内に位置する後方側の車輪が、パレットの上面に接触した状態になる。
【００１１】
すなわち、入出庫平面に接触している前方側の車輪と、パレットの上面に接触している後方側の車輪とにより、本立体駐車装置格納台車が支持される態様となる。この状態では、例えば利用者によって引っ張られることで、前方側の車輪は入出庫平面上を、後方側の車輪はパレット上を夫々移動して、本立体駐車装置格納台車がパレットから引き出されることとなる。しかも、例えば、入出庫位置にあるパレットの上面と、入出庫位置に広がる入出庫平面との間に段差があるような場合であっても、後方側の車輪が段差に達する手前までは、前方側及び後方側の双方の車輪が段差を通ることはないため、円滑に引き出されるものである。
【００１２】
一方、パレットが入出庫位置以外の位置にあるときは、パレットからはみ出た前方側の車輪が、入出庫平面に接触せずに宙に浮いた状態になり、パレット内に位置する後方側の車輪と脚部とが、パレットの上面に接触した状態になる。すなわち、パレットの上面に接触している後方側の車輪と、前方側の車輪の直ぐ後方で下方に延びた脚部とにより、本立体駐車装置格納台車が支持される態様となる。この状態では、移動防止手段を構成する脚部が、パレットの上面に接触していることにより、本立体駐車装置格納台車のパレット上での移動が防止されることになる。このように、本項に記載の立体駐車装置格納台車は、移動防止手段として脚部を備えた単純な構成で、パレットが入出庫位置にあるときには、段差の如何に関わらず円滑に引き出される状態となり、パレットが入出庫位置以外の位置にあるときには、パレット上での移動が確実に防止されるものである。
【００１３】
（３）上記（２）項において、前記立体駐車装置は、前記入出庫平面が地上面であり、前記入出庫位置にあるパレットが、前記入出庫平面に対して高くなる態様で段差を有し、前記ベース部の底面と直交する高さ方向に係る、前記前方側及び後方側の車輪と前記脚部との位置について、前記前方側の車輪の先端位置は、前記後方側の車輪の先端位置から、前記入出庫位置にある前記パレットの上面と前記入出庫平面との間の段差の高さ分下方にある位置と等しく、前記脚部の先端位置は、前記後方側の車輪の先端位置よりも上方に位置する立体駐車装置格納台車（請求項３）。
【００１４】
本項に記載の立体駐車装置格納台車は、入出庫平面が地上面であり、入出庫位置にあるパレットが入出庫平面に対して高くなる態様で段差を有する立体駐車装置に格納されるものである。すなわち、例えば、既存の設備等に掘り下げずに構築された立体駐車装置に対応するものである。このような立体駐車装置に対応するために、本立体駐車装置格納台車は、ベース部の底面と直交する高さ方向に係る、前方側及び後方側の車輪と脚部との位置について、以下のような構成を有している。すなわち、前方側の車輪の先端位置が、後方側の車輪の先端位置から、入出庫位置にあるパレットの上面と入出庫平面との間の段差の高さ分下方にある位置と等しくなっており、更に、脚部の先端位置が、後方側の車輪の先端位置よりも上方に位置している。
【００１５】
このような構成により、パレットが入出庫位置にあるときは、前方側の車輪が入出庫平面（地上面）に接触すると共に、パレットの上面と入出庫平面との間の段差の高さ分、前方側の車輪よりも先端位置が上方にある後方側の車輪が、パレットの上面に接触するため、ベース部が略水平の状態になる。このとき、脚部は、後方の車輪よりも先端位置が上方にあるため、パレットの上面に接触することはない。他方、パレットが入出庫位置以外の位置、すなわち、入出庫位置よりも上方に移動すると、後方側の車輪はパレットの上面に接触した状態のまま、脚部がパレットの上面に接触した後、前方側の車輪が宙に浮いた状態になる。このとき、ベース部は、引き出し方向の前方側に僅かに沈み込んだ状態になり、後方側の車輪よりも脚部に多くの荷重がかかる状態になる。従って、本項に記載の立体駐車装置格納台車は、入出庫位置にあるパレットから、より安定して円滑に引き出されることとなり、入出庫位置以外の位置にあるパレットでは、脚部によってより確実に移動が防止されるものとなる。
【００１６】
（４）上記（２）（３）項において、前記前方側の車輪が、前記引き出し方向と、該引き出し方向と水平面において直交する方向との、双方の移動に対応するものである立体駐車装置格納台車。
本項に記載の立体駐車装置格納台車は、前方側の車輪が、本立体駐車装置格納台車の引き出し方向と、この引き出し方向と水平面において直交する方向、すなわち、立体駐車装置の正面視で左右方向との、双方の移動に対応するものである。これにより、立体駐車装置のパレットが、入出庫位置において左右方向に移動するものであっても、左右方向の移動に対応した前方側の車輪が、入出庫平面に接触しているため、パレットの左右方向の移動に問題なく追従するものとなる。
【００１７】
（５）上記（１）から（４）項において、前記ベース部の周縁に囲い部が立設されている立体駐車装置格納台車。
本項に記載の立体駐車装置格納台車は、ベース部の周縁に囲い部が立設されていることで、ベース部に載置される荷物が、より確実にベース部上に保管されることとなり、延いては、本立体駐車装置格納台車による荷物の収容量が、高さ方向に増大するものとなる。更に、入出庫位置にあるパレットからの引き出し時に、利用者によって囲い部が掴まれることで、より容易にパレットから引き出されるものとなる。
【００１８】
（６）複数のパレットを備える立体駐車装置の運用方法であって、少なくとも１つのパレットに、上記（１）から（５）項のいずれか１項の立体駐車装置格納台車を格納する立体駐車装置の運用方法（請求項４）。
本項に記載の立体駐車装置の運用方法は、対象の立体駐車装置の少なくとも１つのパレットに、上記（１）から（５）項のいずれか１項の立体駐車装置格納台車を格納するものである。対象の立体駐車装置は、既存のもの、新設するもの、地下空間を含むもの、奥行方向に２つ以上のパレットが配置されるもの、地面を掘り下げずに構築したもの等の、何れの立体駐車装置であってもよく、各立体駐車装置に適した立体駐車装置格納台車を格納すればよい。これにより、上記（１）から（５）項の立体駐車装置格納台車と同等の作用を奏しながら、立体駐車装置を荷物の保管場所として運用するものである。
【００１９】
（７）上記（６）項において、前記立体駐車装置格納台車を格納するパレットに、少なくとも前記後方側の車輪の移動をガイドするための案内手段を設ける立体駐車装置の運用方法（請求項５）。
本項に記載の立体駐車装置の運用方法は、立体駐車装置格納台車を格納するパレットに、少なくとも後方側の車輪の移動をガイドするための案内手段を設けるものである。このような案内手段としては、例えば、立体駐車装置格納台車の引き出し方向に沿って、パレットの上面に設けられたレール等が挙げられる。これにより、パレットからの立体駐車装置格納台車の引き出しを、より安定して円滑に行うものである。なお、可能であれば、車両のタイヤのガイド等のために、パレットの上面に予め設けられている凸条部や凹条部を、立体駐車装置格納台車用の案内手段として利用してもよい。
【００２０】
（８）上記（６）（７）項において、前記立体駐車装置格納台車を格納するパレット毎に、２台の前記立体駐車装置格納台車を、引き出し方向を反対向きに直列に格納する立体駐車装置の運用方法（請求項６）。
本項に記載の立体駐車装置の運用方法は、立体駐車装置格納台車を格納するパレット毎に、２台の立体駐車装置格納台車を、引き出し方向を反対向きに直列に格納するものである。すなわち、１つのパレットに２台の立体駐車装置格納台車を直列に格納し、パレットの側面視で、右側にある立体駐車装置格納台車を右方向へ引き出して利用し、左側にある立体駐車装置格納台車を左方向へ引き出して利用するものである。これにより、本来は車両を格納するために奥行方向の長さが大きいパレットを、奥行方向に２分割して利用することとなるため、パレットのスペースを効率的に利用するものとなる。更に、奥行方向の長さが大きい１台の立体駐車装置格納台車を１つのパレットに格納する場合と比較して、１台の立体駐車装置格納台車あたりの、パレットからの引き出し距離が短くなるため、引き出し作業の労力が低減されるものである。
【発明の効果】
【００２１】
本発明はこのように構成したので、立体駐車装置の用途の幅を広げることが可能となる。
【図面の簡単な説明】
【００２２】
【図１】本発明の実施の形態に係る立体駐車装置格納台車を格納した立体駐車装置の正面図である。
【図２】本発明の実施の形態に係る立体駐車装置格納台車を示しており、（ａ）は側面図、（ｂ）は後面図である。
【図３】図１の立体駐車装置のパレットに格納された立体駐車装置格納台車を側方から示しており、（ａ）はパレットが地面よりも上にある状態、（ｂ）はパレットが地面に着地した状態を示している。
【発明を実施するための形態】
【００２３】
以下、本発明の実施の形態を図面に基づき説明する。ここで、図面の全体にわたって、同一部分又は対応する部分は、同一符号で示している。又、従来技術と同一部分、若しくは相当する部分については、詳しい説明を省略する。
図１は、本発明の実施の形態に係る立体駐車装置格納台車１０を格納した、立体駐車装置３０の構成の一例を示している。立体駐車装置格納台車１０は、立体駐車装置３０が備えるパレット３２に車両に代えて格納され、パレット３２が後述する入出庫位置３６にあるときに、パレット３２から図１の紙面と直交する手前方向に引き出されて使用されるものである。まず、図１を参照して、立体駐車装置３０について概略的に説明すると、立体駐車装置３０は、複数の支柱と複数の梁とによって構成された略矩形の構造体に、複数のパレット３２が移動可能に支持された構造である。
【００２４】
図１の例において、立体駐車装置３０は、地上３段５連基（図１中上下方向に３段、左右方向に５列）の構造であり、１３基のパレット３２を備えている。１３基のパレット３２のうち、図１において一番下の地上段に位置している４基のパレット３２は、車両を入出庫する高さ位置で横行移動のみ行い、図１において中段に位置している４基のパレット３２は、立体駐車装置３０の使用者による呼び出し操作に応じて、何れかの入出庫位置３６まで、上下方向及び左右方向に移動可能なものである。一方、図１において一番上の段に位置している５基のパレット３２は、昇降のみ行うものである。各パレット３２の、図１における左右方向の端部には、パレット３２に車両が格納される際に、パレット３２からの車両の脱輪を防止するための凸条部（４０）が設けられている。
【００２５】
本実施例の立体駐車装置３０は、地面を掘り下げずに構築されたものであり、入出庫に係るパレット３２が呼び出される入出庫位置３６が、一番下の地上段に設定され、入出庫位置３６に広がる入出庫平面３６ａが地上面になっている。このため、入出庫位置３６にあるパレット３２の上面３２ａと、入出庫平面（地上面）３６ａとの間には、僅かな段差が生じる（図３（ｂ）参照）。入出庫位置３６は、立体駐車装置３０の縦列毎の５箇所に設けられており、各入出庫位置３６には、入出庫位置３６に所望のパレット３２が呼び出された後に開かれ、使用者の操作により閉じられる開閉ゲート３４が設けられている。図１では、便宜上、最も右側にある入出庫位置３６を除き、開閉ゲート３４の一部を破断して図示している。
【００２６】
又、操作盤３８は、立体駐車装置３０の各操作を行うための入力が行われるものであり、例えばタッチパネル方式で、開閉ゲート３４の開閉操作や、各パレット３２の呼び出し操作等が入力されるものである。なお、図１の立体駐車装置３０は、最上段にあるパレット３２と中段にあるパレット３２との上下方向の間隔よりも、中段にあるパレット３２と地上段にあるパレット３２との上下方向の間隔の方が、大きくなっているが、このような各パレット３２間の上下方向の間隔は、立体駐車装置３０を構成する支柱が対応する範囲内で、任意に設定可能なものである。
【００２７】
続いて、図２を参照して、本発明の実施の形態に係る立体駐車装置格納台車１０の構造について説明する。立体駐車装置格納台車１０は、ベース部１２、車輪１４、１６、移動防止手段１８、及び、囲い部２２を備えている。ベース部１２は、荷物が載置されるものであり、本実施例では、例えば各種の金属や強化樹脂製等の、矩形板状のものである。ベース部１２の大きさは、ベース部１２に載置される荷物の大きさや数量等に応じて任意に設定可能であるが、本実施例では、引き出し方向（図２（ａ）における左右方向）の長さが、パレット３２の同方向の長さの半分程度の長さになっている（図３参照）。又、幅方向（図２（ｂ）における左右方向）の長さは、図１で確認できるように、パレット３２の同方向の長さより僅かに小さい長さであることが好ましい。
【００２８】
車輪１４、１６は、本実施例ではベース部１２の底面１２ａに設けられ、パレット３２（図１参照）からの立体駐車装置格納台車１０の引き出し方向を基準として、前方側（図２（ａ）における左側）に設けられた車輪１４と、後方側（図２（ａ）における右側）に設けられた車輪１６とを、一対ずつ含む構成である。各車輪１４、１６の幅方向（図２（ｂ）における左右方向）の位置は、ベース部１２の幅方向の端部よりも、僅かにベース部１２の幅方向の中心側に設定されている。前方側の一対の車輪１４は、立体駐車装置格納台車１０の引き出し及び格納方向（図２（ａ）における左右方向）への移動だけでなく、その方向と水平面において直交する方向（図２（ｂ）における左右方向）への移動に対応するようになっている。具体的に、前方側の一対の車輪１４は、本実施例では、所謂回転式のキャスターの如く、図２における上下方向の軸を中心軸として転回し、車輪の回転方向が変化するようになっている。
【００２９】
移動防止手段１８は、立体駐車装置格納台車１０を格納しているパレット３２が、少なくとも入出庫位置３６（図１参照）以外の位置にあるときに、そのパレット３２上での立体駐車装置格納台車１０の移動を防止するものである。本実施例において、移動防止手段１８は、前方側の各車輪１４の直ぐ後方において、ベース部１２の底面１２ａから下方へ延びる２本の脚部２０によって構成されている。これら２本の脚部２０の各々は、ベース部１２上に荷物が載置された状態の立体駐車装置格納台車１０の重量を支えることが可能な、太さや材料で形成されている。又、脚部２０の少なくとも先端部２０ａは、詳しくは後述するが、パレット３２の上面３２ａ（図３参照）に接触したときに、パレット３２上での立体駐車装置格納台車１０の移動を防止できるような摩擦力を発揮する材料で形成されている。
【００３０】
ここで、ベース部１２の底面１２ａと直交する高さ方向（図２における上下方向）に係る、前方側及び後方側の車輪１４、１６と脚部２０との先端位置について言及する。前方側及び後方側の車輪１４、１６の先端位置１４ａ、１６ａは、夫々、ベース部１２の底面１２ａから距離Ｌ１、Ｌ２（以下、「前方側の車輪の長さＬ１」及び「後方側の車輪１６の長さＬ２」とも言う。）の位置にあり、脚部２０の先端位置２０ｂは、ベース部１２の底面１２ａから距離Ｌ３（以下、「脚部２０の長さＬ３」とも言う。）の位置にある。そして、距離Ｌ１は、入出庫位置３６にあるパレット３２の上面３２ａと、入出庫平面（地上面）３６ａとの間の段差の高さＬ４（図３（ｂ）参照）を、距離Ｌ２に対して加えた距離に等しくなっている。又、距離Ｌ３は、距離Ｌ２よりも小さくなっている。
【００３１】
一方、囲い部２２は、ベース部１２の周縁に立設されており、本実施例では、各種の金属や強化樹脂等でメッシュ状に形成されている。囲い部２２の高さは、ベース部１２に載置される荷物の大きさや数量、立体駐車装置３０の各パレット３２間の高さ方向の間隔等に応じて、任意に設定される。
なお、前方側の車輪１４は、上述した回転式のキャスターのような構成に限定されるものではなく、図２（ａ）、（ｂ）の双方における左右方向の移動に対応するものであればよい。例えば、前方側の車輪１４は、本体部の回転と本体部の円周上に設けられた樽型ローラとの回転を組み合わせた、株式会社富士製作所製のオムニホイール（登録商標）や、１つの大球を多数の小球で受けて回転させる構成の、株式会社井口機工製作所製のＩＳＢボールベアー等であってもよい。
【００３２】
上述したような立体駐車装置格納台車１０は、図３に示すように、前方側の車輪１４がパレット３２からはみ出し、脚部２０及び後方側の車輪１６がパレット３２上に位置する状態で、パレット３２に格納される。そして、図３（ａ）に示すように、パレット３２が入出庫位置３６以外の位置（本実施例では入出庫位置３６よりも高い位置）にあるとき、脚部２０と後方側の車輪１６とが、パレット３２の上面３２ａに接触した状態になり、前方側の車輪１４が宙に浮いた状態になる。このとき、図２（ａ）に示したように、脚部２０の長さＬ３は、後方側の車輪の長さＬ２よりも小さいため、立体駐車装置格納台車１０は、前方側（図３の左側）が僅かに下方に沈んだ状態になる。この状態では、脚部２０の先端２０ａがパレット３２の上面３２ａに接触することで、パレット３２上での立体駐車装置格納台車１０の移動が防止される。
【００３３】
一方、図３（ｂ）に示すように、パレット３２が入出庫位置３６まで移動したとき、前方側の車輪１４が入出庫位置３６の入出庫平面（地上面）３６ａに接触する。すると、図２（ａ）に示したように、前方側の車輪１４の長さＬ１は、後方側の車輪１６の長さＬ２に、パレット３２の上面３２ａと入出庫位置３６の入出庫平面３６ａとの間の段差の高さＬ４を加えた長さに等しいため、立体駐車装置格納台車１０は水平の状態になる。更に、脚部２０の長さＬ３は、後方側の車輪１６の長さＬ２よりも小さいため、脚部２０がパレット３２の上面３２ａから離れた状態になる。この状態では、移動防止手段１８としての脚部２０の作用が解除され、開閉ゲート３４（図１参照）が開かれた後、図３（ｂ）の左側に仮想線で示すように、パレット３２から立体駐車装置格納台車１０が引き出されることになる。なお、図３において、符号４２で図示しているものは、パレット３２の昇降動作に係る吊チェーン（吊ワイヤ）である。
【００３４】
ここで、パレット３２及び立体駐車装置格納台車１０の幅方向について言及すると、上述したように、パレット３２の幅方向端部には凸条部が設けられ、立体駐車装置格納台車１０のベース部１２の幅方向の長さは、パレット３２の同方向の長さより僅かに小さく、各車輪１４、１６の幅方向の位置は、ベース部１２の幅方向の端部よりも僅かにベース部１２の幅方向の中心側にある。このため、図１で確認できるように、立体駐車装置格納台車１０がパレット３２に格納された状態において、各車輪１４、１６は、パレット３２に設けられた凸条部（４０）に近接して、凸条部の間に位置する態様になる。このため、本実施例では、パレット３２に設けられた凸条部が、立体駐車装置格納台車１０の後方側の車輪１６の移動をガイドする案内手段４０の役割を果たすことになる。なお、パレット３２に予め設けられた凸条部とは別に、後方側の車輪１６の位置や大きさ等に合わせて、後方側の車輪１６の移動をガイドする専用の案内手段４０をパレット３２に設けてもよい。
【００３５】
なお、本実施例において、立体駐車装置格納台車１０は、ベース部１２の引き出し方向の長さが、パレット３２の同方向の長さの半分程度の長さになっているため、以下のような応用形態が考えられる。すなわち、図３に示す立体駐車装置格納台車１０の右側に、この立体駐車装置格納台車１０と左右対称の向きでもう１台の立体駐車装置格納台車１０を格納し、１つのパレット３２上に２台の立体駐車装置格納台車１０を格納するものである。この形態では、図３における右側に格納される立体駐車装置格納台車１０は、その前方側の車輪１４がパレット３２の右端部からはみ出ることになり、又、入出庫位置３６において右方向に引き出されることになる。このような形態を採用する立体駐車装置３０は、開閉ゲート３４の有無や設置位置、各パレット３２の横行移動及び昇降移動のための機構の構成、操作盤３８の数や設置位置、パレット３２の形状等を、パレット３２の両方向からの立体駐車装置格納台車１０の引き出しに対応するように、任意に設定すればよい。
【００３６】
さて、上記構成をなす本発明の実施の形態によれば、次のような作用効果を得ることが可能である。すなわち、本発明の実施の形態に係る立体駐車装置格納台車１０は、図１及び図３に示すように、立体駐車装置３０が備えるパレット３２に対し車両に代えて格納され、格納しているパレット３２が入出庫位置３６にある状態で、パレット３２から引き出されて使用されるものである。具体的には、図２に示すように、ベース部１２、車輪１４、１６、移動防止手段１８を備え、ベース部１２には任意の荷物が載置される。車輪１４、１６は、立体駐車装置格納台車１０がパレット３２上を移動する際に用いられるものであり、パレット３２から引き出す方向（図２（ａ）における左方向）を前方、それと反対方向（図２（ａ）における右方向）を後方として、立体駐車装置格納台車１０の前方側及び後方側の夫々に設けられている。又、移動防止手段１８は、立体駐車装置格納台車１０を格納するパレット３２が、少なくとも、立体駐車装置３０の入出庫位置３６を除いた位置にあるときに（図１における最上段及び中段にあるパレット３２や、図３（ａ）に示すパレット３２に相当）、そのパレット３２上での立体駐車装置格納台車１０の移動を防止するものである。このような移動防止手段１８は、例えば、パレット３２上で立体駐車装置格納台車１０を固定するものであってもよく、車輪１４、１６の回転を防止するようなものであってもよい。
【００３７】
上記のような構成により、本発明の実施の形態に係る立体駐車装置格納台車１０は、ベース部１２に荷物が載置された状態で、立体駐車装置３０のパレット３２に格納されることで、立体駐車装置３０を荷物の保管場所へと転用させることができる。しかも、車輪１４、１６を介してパレット３２から引き出されるようになっているため、ベース部１２への荷物の出し入れを容易に行うことができる。更に、少なくとも入出庫位置３６以外に位置するパレット３２上での移動が、移動防止手段１８により防止されるため、安全面への配慮も為されたものになっている。このように、荷物の保管場所への転用に適した構成を備えることで、通常の立体倉庫と比較して、保管する荷物の容量が大きく、使い勝手も良い保管場所へと転用させ、立体駐車装置３０の用途の幅を広げることが可能となる。
【００３８】
又、本発明の実施の形態に係る立体駐車装置格納台車１０は、移動防止手段１８が、前方側の車輪１４の後方近傍、すなわち、前方側の車輪１４の直ぐ後方の位置において、下方に延びる脚部２０により構成されている。又、立体駐車装置格納台車１０は、図３に示すように、後方側の車輪１６と脚部２０とがパレット３２内に位置し、前方側の車輪１４がパレット３２から前方側にはみ出る態様で、パレット３２に格納される。すなわち、図３に示す側面視で、立体駐車装置格納台車１０の、前方側の車輪１４を含む前方側の部位が、パレット３２の前端よりも前方へ突き出た状態になる。そして、図３（ａ）に示すように、パレット３２が入出庫位置３６以外の位置にあるときは、パレット３２からはみ出た前方側の車輪１４が、入出庫平面３６ａに接触せずに宙に浮いた状態になり、パレット３２内に位置する後方側の車輪１６と脚部２０とが、パレット３２の上面３２ａに接触した状態になる。すなわち、パレット３２の上面３２ａに接触している後方側の車輪１６と、前方側の車輪１４の直ぐ後方で下方に延びた脚部２０とにより、立体駐車装置格納台車１０が支持される態様となる。この状態では、移動防止手段１８を構成する脚部２０が、パレット３２の上面３２ａに接触していることにより、立体駐車装置格納台車１０のパレット３２上での移動を防止することができる。
【００３９】
一方、図３（ｂ）に示すように、パレット３２が入出庫位置３６にあるとき、パレット３２からはみ出た前方側の車輪１４が、入出庫位置３６に広がる入出庫平面３６ａに接触し、パレット３２内に位置する脚部２０が、パレット３２の上面３２ａに接触せずに、同じくパレット３２内に位置する後方側の車輪１６が、パレット３２の上面３２ａに接触した状態になる。すなわち、入出庫平面３６ａに接触している前方側の車輪１４と、パレット３２の上面３２ａに接触している後方側の車輪１６とにより、立体駐車装置格納台車１０が支持される態様となる。この状態では、例えば利用者によって引っ張られることで、前方側の車輪１４は入出庫平面３６ａ上を、後方側の車輪１６はパレット３２上を夫々移動して、立体駐車装置格納台車１０をパレットから引き出すことができる。
【００４０】
しかも、図３（ｂ）に示すように、入出庫位置３６にあるパレット３２の上面３２ａと、入出庫位置３６に広がる入出庫平面３６ａとの間に段差があるような場合であっても、後方側の車輪１６が段差に達する手前までは、前方側及び後方側の双方の車輪１４、１６が段差を通ることはないため、円滑に引き出すことができる。このように、本発明の実施の形態に係る立体駐車装置格納台車１０は、移動防止手段１８として脚部２０を備えた単純な構成で、パレット３２が入出庫位置３６以外の位置にあるときには、パレット３２上での移動を確実に防止することができ、パレット３２が入出庫位置３６にあるときには、段差の如何に関わらず円滑に引き出すことができるものである。なお、本発明の実施の形態に係る立体駐車装置格納台車１０は、移動防止手段１８を構成する脚部２０の本数が、２本に限定されるものではなく、１本或いは３本以上であってもよい。脚部２０は、何れの本数であっても、パレット３２が入出庫位置３６以外の位置にあるときに、後方側の車輪１６と共に、立体駐車装置格納台車１０全体をバランス良く支えることができる位置に設けられる。
【００４１】
更に、本発明の実施の形態に係る立体駐車装置格納台車１０は、図１に示すように、入出庫平面３６ａが地上面であり、入出庫位置３６にあるパレット３２が入出庫平面３６ａに対して高くなる態様で段差を有する立体駐車装置３０に格納されてもよいものである。すなわち、例えば、既存の設備等に掘り下げずに構築された立体駐車装置３０に対応するものである。このような立体駐車装置３０に対応するために、立体駐車装置格納台車１０は、図２に示すように、ベース部１２の底面１２ａと直交する高さ方向（図２における上下方向）に係る、前方側及び後方側の車輪１４、１６と脚部２０との位置について、以下のような構成を有している。すなわち、前方側の車輪１４の先端位置１４ａが、後方側の車輪１６の先端位置１６ａから、入出庫位置３６にあるパレット３２の上面３２ａと入出庫平面３６ａとの間の段差の高さＬ４（図３参照）分下方にある位置と等しく（Ｌ１＝Ｌ２＋Ｌ４）なっており、更に、脚部２０の先端位置２０ｂが、後方側の車輪１６の先端位置１６ａよりも上方に位置している（Ｌ３＜Ｌ２）。
【００４２】
このような構成により、図３（ａ）に示すように、パレット３２が入出庫位置３６以外の位置、すなわち、本実施例では入出庫位置３６よりも上方に移動すると、後方側の車輪１６はパレット３２の上面３２ａに接触した状態のまま、脚部２０がパレット３２の上面３２ａに接触した後、前方側の車輪１４が宙に浮いた状態になる。このとき、ベース部１２は、引き出し方向の前方側に僅かに沈み込んだ状態になり、ベース部１２に載置される荷物の配置にもよるが、後方側の車輪１６よりも脚部２０に多くの荷重がかかり易い状態になる。他方、図３（ｂ）に示すように、パレット３２が入出庫位置３６にあるときは、前方側の車輪１４が入出庫平面（地上面）３６ａに接触すると共に、パレット３２の上面３２ａと入出庫平面３６ａとの間の段差の高さＬ４分、前方側の車輪１４よりも先端位置１６ａが上方にある後方側の車輪１６が、パレット３２の上面３２ａに接触するため、ベース部１２が略水平の状態になる。このとき、脚部２０は、後方の車輪１６よりも先端位置２０ｂが上方にあるため、パレット３２の上面３２ａに接触することはない。従って、本発明の実施の形態に係る立体駐車装置格納台車１０は、入出庫位置３６以外の位置にあるパレット３２では、脚部２０によってより確実に移動を防止することができ、入出庫位置３６にあるパレット３２から、より安定して円滑に引き出すことが可能となる。
【００４３】
なお、本発明の実施の形態に係る立体駐車装置格納台車１０は、パレット３２が入出庫位置３６にあるとき、前方側の車輪１４が入出庫平面３６ａに接触すると共に、脚部２０がパレット３２の上面３２ａに接触せずに後方側の車輪１６がパレット３２の上面３２ａに接触した状態になり、パレット３２が入出庫位置３６以外の位置にあるとき、前方側の車輪１４が入出庫平面３６ａに接触せずに、後方側の車輪１６と脚部２０とがパレット３２の上面３２ａに接触する状態になれば、前方側の車輪１４の長さＬ１が、後方側の車輪１６の長さＬ２に、パレット３２の上面３２ａと入出庫位置３６の入出庫平面３６ａとの間の段差の高さＬ４を加えた長さに、必ずしも等しくならなくてよい。この場合、パレット３２が入出庫位置３６にあるとき、ベース部１２が水平の状態にならないが、立体駐車装置格納台車１０は問題なく利用可能である。
【００４４】
又、本発明の実施の形態に係る立体駐車装置格納台車１０は、前方側の車輪１４が、立体駐車装置格納台車１０の引き出し方向（図２（ａ）及び図３における左右方向）と、この引き出し方向と水平面において直交する幅方向（図１及び図２（ｂ）における左右方向）との、双方の移動に対応するものである。これにより、立体駐車装置３０のパレット３２が、入出庫位置３６において幅方向に移動しても、幅方向の移動に対応した前方側の車輪１４が、入出庫平面３６ａに接触しているため、パレット３２の幅方向の移動に問題なく追従することができる。
【００４５】
しかも、本発明の実施の形態に係る立体駐車装置格納台車１０は、ベース部１２の周縁に囲い部２２が立設されていることで、ベース部１２に載置される荷物を、より確実にベース部１２上に保管することができ、延いては、立体駐車装置格納台車１０による荷物の収容量を、高さ方向に増大させることができる。更に、入出庫位置３６にあるパレット３２からの引き出し時に、利用者によって囲い部２２が掴まれることで、より容易にパレット３２から引き出すことができる。
なお、本発明の実施の形態に係る立体駐車装置格納台車１０は、上記の実施例のように、前方側の車輪１４がはみ出た状態でパレット３２に格納される形態に限定されるものではなく、前方側の車輪１４と後方側の車輪１６との双方がパレット３２上に位置して格納されてもよい。この場合は、脚部２０に代えて、パレット３２上での立体駐車装置格納台車１０の移動を防止する、別の移動防止手段１８が設けられ、前方側の車輪１４の長さＬ１と、後方側の車輪１６の長さＬ２とが、略等しくなることが好ましい。
【００４６】
一方、本発明の実施の形態に係る立体駐車装置の運用方法は、対象の立体駐車装置３０の少なくとも１つのパレット３２に、上述したような立体駐車装置格納台車１０を格納するものである。対象の立体駐車装置３０は、既存のもの、新設するもの、地下空間を含むもの、奥行方向に２つ以上のパレット３２が配置されるもの、地面を掘り下げずに構築したもの等の、何れの立体駐車装置３０であってもよく、各立体駐車装置３０に適した立体駐車装置格納台車１０を格納すればよい。これにより、上記の立体駐車装置格納台車１０と同等の作用効果を奏しながら、立体駐車装置３０を荷物の保管場所として運用することが可能となる。
【００４７】
又、本発明の実施の形態に係る立体駐車装置の運用方法は、立体駐車装置格納台車１０を格納するパレット３２に、少なくとも後方側の車輪１６の移動をガイドするための案内手段４０を設けるものである。このような案内手段４０としては、例えば、立体駐車装置格納台車１０の引き出し方向に沿って、パレット３２の上面３２ａに設けられたレール等が挙げられる。これにより、パレット３２からの立体駐車装置格納台車１０の引き出しを、より安定して円滑に行うことができる。なお、図１の例のように、車両のタイヤのガイド等のために、パレット３２の上面３２ａに予め設けられている凸条部（４０）や凹条部を、立体駐車装置格納台車１０用の案内手段４０として利用することもできる。
【００４８】
更に、本発明の実施の形態に係る立体駐車装置の運用方法は、立体駐車装置格納台車１０を格納するパレット３２毎に、２台の立体駐車装置格納台車１０を、引き出し方向を反対向きに直列に格納してもよいものである。すなわち、１つのパレット３２に２台の立体駐車装置格納台車１０を直列に格納し、パレット３２の側面視で、右側にある立体駐車装置格納台車１０を右方向へ引き出して利用し、左側にある立体駐車装置格納台車１０を左方向へ引き出して利用するものである。これにより、本来は車両を格納するために奥行方向の長さが大きいパレット３２を、奥行方向に２分割して利用することとなるため、パレット３２のスペースを効率的に利用することができる。更に、奥行方向の長さが大きい１台の立体駐車装置格納台車１０を１つのパレット３２に格納する場合と比較して、１台の立体駐車装置格納台車１０あたりの、パレット３２からの引き出し距離が短くなるため、引き出し作業の労力を低減することができる。
【符号の説明】
【００４９】
１０：立体駐車装置格納台車、１２：ベース部、１２ａ：ベース部の底面、１４：前方側の車輪、１４ａ：前方側の車輪の先端位置、１６：後方側の車輪、１６ａ：後方側の車輪の先端位置、１８：移動防止手段、２０：脚部、２０ａ：脚部の先端部、２０ｂ：脚部の先端位置、３０：立体駐車装置、３２：パレット、３２ａ：パレットの上面、３４：開閉ゲート、３６：入出庫位置、３６ａ：入出庫平面、４０：案内手段
【図１】
2019065461.tif 000003
【図２】
2019065461.tif 000004
【図３】
2019065461.tif 000005
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
複数のパレットを備え、それらのパレットが上下方向又は左右方向の少なくとも一方に移動することで、入出庫に係るパレットが所定の入出庫位置へと呼び出される立体駐車装置において、前記パレットに対し車両に代えて格納され、必要に応じて前記入出庫位置にて前記パレットから引き出される台車であって、
荷物が載置されるベース部と、前記パレットからの引き出し方向を基準として、前方側及び後方側に各々設けられ、前記パレット上を移動する際に用いられる車輪と、少なくとも前記入出庫位置以外に位置する前記パレット上の移動を防止するための移動防止手段と、を含み、
該移動防止手段は、前記前方側の車輪の後方近傍において下方に延びる脚部であり、
前記後方側の車輪及び前記脚部が前記パレット内に位置し、前記前方側の車輪が前記パレットから前方側にはみ出る態様で、前記パレットに格納され、前記パレットが前記入出庫位置にあるとき、前記前方側の車輪が前記入出庫位置に広がる入出庫平面に接触すると共に、前記脚部が前記パレットの上面に接触せずに前記後方側の車輪が前記パレットの上面に接触した状態になり、前記パレットが前記入出庫位置以外の位置にあるとき、前記前方側の車輪が前記入出庫平面に接触せずに、前記後方側の車輪と前記脚部とが前記パレットの上面に接触する状態になることを特徴とする立体駐車装置格納台車。
【請求項２】
前記立体駐車装置は、前記入出庫平面が地上面であり、前記入出庫位置にあるパレットが、前記入出庫平面に対して高くなる態様で段差を有し、
前記ベース部の底面と直交する高さ方向に係る、前記前方側及び後方側の車輪と前記脚部との位置について、前記前方側の車輪の先端位置は、前記後方側の車輪の先端位置から、前記入出庫位置にある前記パレットの上面と前記入出庫平面との間の段差の高さ分下方にある位置と等しく、前記脚部の先端位置は、前記後方側の車輪の先端位置よりも上方に位置することを特徴とする請求項１記載の立体駐車装置格納台車。
【請求項３】
複数のパレットを備える立体駐車装置の運用方法であって、少なくとも１つのパレットに、請求項１又は２記載の立体駐車装置格納台車を格納することを特徴とする立体駐車装置の運用方法。
【請求項４】
前記立体駐車装置格納台車を格納するパレットに、少なくとも前記後方側の車輪の移動をガイドするための案内手段を設けることを特徴とする請求項３記載の立体駐車装置の運用方法。
【請求項５】
前記立体駐車装置格納台車を格納するパレット毎に、２台の前記立体駐車装置格納台車を、引き出し方向を反対向きに直列に格納することを特徴とする請求項３又は４記載の立体駐車装置の運用方法。
【手続補正２】
【補正対象書類名】明細書
【補正対象項目名】０００６
【補正方法】変更
【補正の内容】
【０００６】
（１）複数のパレットを備え、それらのパレットが上下方向又は左右方向の少なくとも一方に移動することで、入出庫に係るパレットが所定の入出庫位置へと呼び出される立体駐車装置において、前記パレットに対し車両に代えて格納され、必要に応じて前記入出庫位置にて前記パレットから引き出される台車であって、荷物が載置されるベース部と、前記パレットからの引き出し方向を基準として、前方側及び後方側に各々設けられ、前記パレット上を移動する際に用いられる車輪と、少なくとも前記入出庫位置以外に位置する前記パレット上の移動を防止するための移動防止手段と、を含む立体駐車装置格納台車。
【手続補正３】
【補正対象書類名】明細書
【補正対象項目名】０００９
【補正方法】変更
【補正の内容】
【０００９】
（２）上記（１）項において、前記移動防止手段は、前記前方側の車輪の後方近傍において下方に延びる脚部であり、前記後方側の車輪及び前記脚部が前記パレット内に位置し、前記前方側の車輪が前記パレットから前方側にはみ出る態様で、前記パレットに格納され、前記パレットが前記入出庫位置にあるとき、前記前方側の車輪が前記入出庫位置に広がる入出庫平面に接触すると共に、前記脚部が前記パレットの上面に接触せずに前記後方側の車輪が前記パレットの上面に接触した状態になり、前記パレットが前記入出庫位置以外の位置にあるとき、前記前方側の車輪が前記入出庫平面に接触せずに、前記後方側の車輪と前記脚部とが前記パレットの上面に接触する状態になる立体駐車装置格納台車（請求項１）。
【手続補正４】
【補正対象書類名】明細書
【補正対象項目名】００１３
【補正方法】変更
【補正の内容】
【００１３】
（３）上記（２）項において、前記立体駐車装置は、前記入出庫平面が地上面であり、前記入出庫位置にあるパレットが、前記入出庫平面に対して高くなる態様で段差を有し、前記ベース部の底面と直交する高さ方向に係る、前記前方側及び後方側の車輪と前記脚部との位置について、前記前方側の車輪の先端位置は、前記後方側の車輪の先端位置から、前記入出庫位置にある前記パレットの上面と前記入出庫平面との間の段差の高さ分下方にある位置と等しく、前記脚部の先端位置は、前記後方側の車輪の先端位置よりも上方に位置する立体駐車装置格納台車（請求項２）。
【手続補正５】
【補正対象書類名】明細書
【補正対象項目名】００１８
【補正方法】変更
【補正の内容】
【００１８】
（６）複数のパレットを備える立体駐車装置の運用方法であって、少なくとも１つのパレットに、上記（２）から（５）項のいずれか１項の立体駐車装置格納台車を格納する立体駐車装置の運用方法（請求項３）。
本項に記載の立体駐車装置の運用方法は、対象の立体駐車装置の少なくとも１つのパレットに、上記（２）から（５）項のいずれか１項の立体駐車装置格納台車を格納するものである。対象の立体駐車装置は、既存のもの、新設するもの、地下空間を含むもの、奥行方向に２つ以上のパレットが配置されるもの、地面を掘り下げずに構築したもの等の、何れの立体駐車装置であってもよく、各立体駐車装置に適した立体駐車装置格納台車を格納すればよい。これにより、上記（２）から（５）項の立体駐車装置格納台車と同等の作用を奏しながら、立体駐車装置を荷物の保管場所として運用するものである。
【手続補正６】
【補正対象書類名】明細書
【補正対象項目名】００１９
【補正方法】変更
【補正の内容】
【００１９】
（７）上記（６）項において、前記立体駐車装置格納台車を格納するパレットに、少なくとも前記後方側の車輪の移動をガイドするための案内手段を設ける立体駐車装置の運用方法（請求項４）。
本項に記載の立体駐車装置の運用方法は、立体駐車装置格納台車を格納するパレットに、少なくとも後方側の車輪の移動をガイドするための案内手段を設けるものである。このような案内手段としては、例えば、立体駐車装置格納台車の引き出し方向に沿って、パレットの上面に設けられたレール等が挙げられる。これにより、パレットからの立体駐車装置格納台車の引き出しを、より安定して円滑に行うものである。なお、可能であれば、車両のタイヤのガイド等のために、パレットの上面に予め設けられている凸条部や凹条部を、立体駐車装置格納台車用の案内手段として利用してもよい。
【手続補正７】
【補正対象書類名】明細書
【補正対象項目名】００２０
【補正方法】変更
【補正の内容】
【００２０】
（８）上記（６）（７）項において、前記立体駐車装置格納台車を格納するパレット毎に、２台の前記立体駐車装置格納台車を、引き出し方向を反対向きに直列に格納する立体駐車装置の運用方法（請求項５）。
本項に記載の立体駐車装置の運用方法は、立体駐車装置格納台車を格納するパレット毎に、２台の立体駐車装置格納台車を、引き出し方向を反対向きに直列に格納するものである。すなわち、１つのパレットに２台の立体駐車装置格納台車を直列に格納し、パレットの側面視で、右側にある立体駐車装置格納台車を右方向へ引き出して利用し、左側にある立体駐車装置格納台車を左方向へ引き出して利用するものである。これにより、本来は車両を格納するために奥行方向の長さが大きいパレットを、奥行方向に２分割して利用することとなるため、パレットのスペースを効率的に利用するものとなる。更に、奥行方向の長さが大きい１台の立体駐車装置格納台車を１つのパレットに格納する場合と比較して、１台の立体駐車装置格納台車あたりの、パレットからの引き出し距離が短くなるため、引き出し作業の労力が低減されるものである。